(57)【要約】【課題】ＰＷＭ調光用のスイッチング素子がショートしていることを検出できる発光制御装置を提供する。【解決手段】発光制御装置は、第１電源ノードＮＶＩと第１電源ノードＮＶＩより低電位に設定される第２電源ノードＮＧＮとの間に直列接続された第１抵抗ＲＣＳ、発光素子１５及び第１スイッチング素子１１を含む光源回路１０の第１スイッチング素子１１を制御する発光制御装置１００であり、第１抵抗ＲＣＳの両端の第１電位差を判定値と比較する第２検出回路１３２と、第１スイッチング素子１１のオンオフを制御する第１制御信号ＤＲＶを出力する発光制御回路１０１と、第１スイッチング素子１１が短絡しているか否かを判定する論理判定回路１３４と、を含み、第１制御信号ＤＲＶを非アクティブにする第１駆動停止状態に設定し、第１電位差が判定値よりも大きいことを第２検出回路１３２が検出したとき、論理判定回路１３４がエラー信号を出力する。【選択図】図２
2020191229.tif 000002
【特許請求の範囲】
【請求項１】
第１電源ノードと前記第１電源ノードより低電位に設定される第２電源ノードとの間に直列接続された第１抵抗、発光素子及び第１スイッチング素子を含む光源回路の前記第１スイッチング素子を制御する発光制御装置であって、
前記第１抵抗の両端の電位差である第１電位差を判定値と比較する第２検出回路と、
前記第１スイッチング素子のオンオフを制御する第１制御信号を出力する発光制御回路と、
前記第１スイッチング素子がショートしているか否かを判定する論理判定回路と、を含み、
前記発光制御回路が前記第１制御信号を非アクティブにする第１駆動停止状態に設定し、前記第１電位差が前記判定値よりも大きいことを前記第２検出回路が検出したとき、前記論理判定回路がエラー信号を出力することを特徴とする発光制御装置。
【請求項２】
請求項１に記載の発光制御装置であって、
前記判定値は、正常動作時に前記発光素子に流れる電流量の下限値に対して、１０分の１以上１０分の９以下の範囲で流れる電流に対応する電圧値の範囲内に設定されることを特徴とする発光制御装置。
【請求項３】
請求項１に記載の発光制御装置であって、
前記光源回路は、前記第２電源ノードと前記第１スイッチング素子との間に結合されたインダクターと、前記インダクターと前記第１電源ノードとの間に前記第１抵抗、前記発光素子、前記第１スイッチング素子と並列に結合された平滑容量と、前記インダクターと前記第２電源ノードとの間に結合された第２スイッチング素子と、前記第２スイッチング素子と前記第１電源ノードとの間に前記第１抵抗、前記発光素子、前記第１スイッチング素子、前記インダクターと並列に結合された整流ダイオードと、を含み、
前記発光制御回路が前記第２スイッチング素子のオンオフを制御する第２制御信号を出力し、前記第２制御信号を非アクティブにする第２駆動停止状態に設定し、かつ前記第１制御信号も非アクティブにする前記第１駆動停止状態に設定したとき、前記第１電位差が前記判定値よりも小さくなる前に、前記論理判定回路が前記エラー信号を出力することを特徴とする発光制御装置。
【請求項４】
請求項３に記載の発光制御装置であって、
前記エラー信号を出力するとき、前記第２制御信号を非アクティブに固定することを特徴とする発光制御装置。
【請求項５】
請求項１乃至４のいずれか一項に記載の発光制御装置と、前記光源回路と、を含むことを特徴とする光源装置。
【請求項６】
請求項５に記載の光源装置と、前記光源装置を制御する処理装置と、を含むことを特徴とする投写型映像表示装置。
【発明の詳細な説明】
【技術分野】
【０００１】
本発明は、発光制御装置、光源装置及び投写型映像表示装置等に関する。
【背景技術】
【０００２】
プロジェクター等に用いられる光源を制御する発光制御装置が知られている。発光制御装置は、発光素子に対して、電流調光とＰＷＭ（Pulse Width Modulation）調光との２つ方法で調光を行う。
【０００３】
電流調光では、発光制御装置は、インダクターに電流を流すトランジスターをオンオフ制御することでスイッチングレギュレート制御を行う。そのスイッチングレギュレート制御により得られた定電流を発光素子に流すことで、発光制御装置は発光素子の発光量を制御する。このとき、発光制御装置は、発光素子に流れる電流と、スイッチングレギュレート用のトランジスターに流れる電流と、を検出し、それらの電流に基づいてスイッチングレギュレート制御を行う。
【０００４】
ＰＷＭ調光では、発光素子に直列接続したＰＷＭ調光用の第１スイッチング素子としてのスイッチング素子を発光制御装置がオンオフ制御することで、発光素子に流れる電流経路を遮断したり、接続したりする。これにより、肉眼では光源が点滅しているように見えるのではなく、光源の明るさが時間平均されて見える方法がある。このような発光制御装置の従来技術は、例えば特許文献１に開示されている。
【先行技術文献】
【特許文献】
【０００５】
【特許文献１】特開２０１８−１０６８６２号公報
【発明の概要】
【発明が解決しようとする課題】
【０００６】
特許文献１の発光制御装置は、過電流による異常又は故障を回避するために、過電流検出を行っていた。つまり、発光素子に流れる電流に対する過電流検出を行い、検出結果を利用することで発光素子に生じる過電流の対処をしていた。しかしながら、発光素子の過電流検知を行うだけでは、ＰＷＭ調光用のスイッチング素子としての第１スイッチング素子がショートしているという不具合を検出できない課題があった。
【課題を解決するための手段】
【０００７】
本願の発光制御装置は、第１電源ノードと前記第１電源ノードより低電位に設定される第２電源ノードとの間に直列接続された第１抵抗、発光素子及び第１スイッチング素子を含む光源回路の前記第１スイッチング素子を制御する発光制御装置であって、前記第１抵抗の両端の電位差である第１電位差を判定値と比較する第２検出回路と、前記第１スイッチング素子のオンオフを制御する第１制御信号を出力する発光制御回路と、前記第１スイッチング素子がショートしているか否かを判定する論理判定回路と、を含み、前記発光制御回路が前記第１制御信号を非アクティブにする第１駆動停止状態に設定し、前記第１電位差が前記判定値よりも大きいことを前記第２検出回路が検出したとき、前記論理判定回路がエラー信号を出力することを特徴とする。
【０００８】
上記発光制御装置において、前記判定値は、正常動作時に前記発光素子に流れる電流量の下限値に対して、１０分の１以上１０分の９以下の範囲で流れる電流に対応する電圧値の範囲内に設定されることが好ましい。
【０００９】
上記発光制御装置において、前記光源回路は、前記第２電源ノードと前記第１スイッチング素子との間に結合されたインダクターと、前記インダクターと前記第１電源ノードとの間に前記第１抵抗、前記発光素子、前記第１スイッチング素子と並列に結合された平滑容量と、前記インダクターと前記第２電源ノードとの間に結合された第２スイッチング素子と、前記第２スイッチング素子と前記第１電源ノードとの間に前記第１抵抗、前記発光素子、前記第１スイッチング素子、前記インダクターと並列に結合された整流ダイオードと、を含み、前記発光制御回路が前記第２スイッチング素子のオンオフを制御する第２制御信号を出力し、前記第２制御信号を非アクティブにする第２駆動停止状態に設定し、かつ前記第１制御信号も非アクティブにする前記第１駆動停止状態に設定したとき、前記第１電位差が前記判定値よりも小さくなる前に、前記論理判定回路が前記エラー信号を出力することが好ましい。
【００１０】
上記発光制御装置において、前記エラー信号を出力するとき、前記第２制御信号を非アクティブに固定することが好ましい。
【００１１】
本願の光源装置は、上記の発光制御装置と、前記光源回路と、を含むことを特徴とする。
【００１２】
本願の投写型映像表示装置は、上記の光源装置と、前記光源装置を制御する処理装置と、を含むことを特徴とする。
【図面の簡単な説明】
【００１３】
【図１】光源装置の構成を示す電気ブロック図。
【図２】光源装置の構成を示す電気ブロック図。
【図３】電流調光モードにおける波形図。
【図４】ＰＷＭ調光モードにおける波形図。
【図５】過電流検知の時の信号の波形図。
【図６】第１スイッチング素子のショート検知の時の信号の波形図。
【図７】投写型映像表示装置の構成を示す電気ブロック図。
【発明を実施するための形態】
【００１４】
以下、本開示の好適な実施の形態について詳細に説明する。なお以下に説明する本実施形態は特許請求の範囲に記載内容を不当に限定するものではなく、本実施形態で説明される構成の全てが必須構成要件であるとは限らない。
【００１５】
（実施形態）
１．光源装置、発光制御装置
図１及び図２は、光源装置の構成を示す電気ブロック図である。光源装置２００は、発光素子及びその周辺回路である光源回路１０と、発光素子の発光を制御する発光制御装置１００と、を含む。発光制御装置１００は例えば集積回路装置であり、例えば半導体チップにより実現される。
【００１６】
まず、図１及び図２を用いて光源回路１０と発光制御装置１００の構成を説明し、図３、図４を用いてＰＷＭ調光モードと電流調光モードについて説明する。
【００１７】
図２に示すように、光源回路１０は、第１電源ノードＮＶＩと第１電源ノードＮＶＩより低電位に設定される第２電源ノードＮＧＮとの間に順に直列接続された第１抵抗ＲＣＳ、発光素子１５及び第１スイッチング素子１１を含む。
【００１８】
また光源回路１０は、第２電源ノードＮＧＮと第１スイッチング素子１１との間に結合されたインダクター１４と、インダクター１４と第１電源ノードＮＶＩとの間に第１抵抗ＲＣＳ、発光素子１５、第１スイッチング素子１１と並列に結合された平滑容量ＣＡと、インダクター１４と第２電源ノードＮＧＮとの間に結合された第２スイッチング素子１２と、を含む。
【００１９】
また光源回路１０は、第２スイッチング素子１２と第１電源ノードＮＶＩとの間に第１抵抗ＲＣＳ、発光素子１５、第１スイッチング素子１１、インダクター１４と並列に結合された整流ダイオードＤＡと、第２スイッチング素子１２と第２電源ノードＮＧＮとの間に結合された第２抵抗ＲＩＳと、を含む。第１スイッチング素子１１と第２スイッチング素子１２は、例えばＮ型トランジスターである。
【００２０】
発光素子１５は、電流ＩＬＤによって駆動され、電流ＩＬＤの電流値に応じた明るさで発光する。発光素子１５は、直列に接続された複数のレーザーダイオードである。但し、発光素子１５は、１つのレーザーダイオードであってもよいし、或いはＬＥＤ（Light Emitting Diode）であってもよい。
【００２１】
なお、第１電源ノードＮＶＩは第１電源ＶＩＮが入力されるノードであり、第２電源ノードＮＧＮは第２電源が入力されるノードである。第１電源ノードＮＶＩの電圧は第２電源ノードＮＧＮの電圧より高い。第２電源ノードＮＧＮは例えばグランドである。
【００２２】
第２スイッチング素子１２は、インダクター１４に流れる電流をスイッチングレギュレート制御する。第１スイッチング素子１１は、インダクター１４に流れる電流を発光素子１５に流すか否かを制御する。第１スイッチング素子１１が常時オンしており、第２スイッチング素子１２のスイッチングレギュレート制御によって発光素子１５の発光量が制御されるモードを電流調光モードと呼ぶ。また、第１スイッチング素子１１がオンオフすることで、そのオンデューティーによって発光素子１５の発光量が制御されるモードをＰＷＭ調光モードと呼ぶ。
【００２３】
図１に示すように、発光制御装置１００は、光源回路１０の第１スイッチング素子１１を制御する装置である。発光制御装置１００は第１検出回路１３１及び第２検出回路１３２を含む。第１検出回路１３１は第１抵抗ＲＣＳの両端の電位差である第１電位差を検出する。第２検出回路１３２は第１抵抗ＲＣＳの両端の電位差である第１電位差を判定値と比較する。
【００２４】
発光制御装置１００は、第１スイッチング素子１１がショートしているか否かを判定する論理判定回路１３４を含む。さらに、発光制御装置１００は第１スイッチング素子１１のオンオフを制御する第１制御信号ＤＲＶを出力する発光制御回路１０１を含む。第２検出回路１３２と論理判定回路１３４とは電気的に接続されている。第２検出回路１３２と論理判定回路１３４は、第１スイッチング素子１１のショート検出を検出する回路である。第１検出回路１３１及び論理判定回路１３４は発光制御回路１０１と電気的に接続されている。
【００２５】
発光制御装置１００は、ＰＷＭ端子ＴＤＣＳ、調光用電圧入力端子ＴＡＣＳ、端子ＴＥＯＵＴ、端子ＴＤＲＶ、端子ＴＧＴＢ、端子ＴＩＳ、端子ＴＣＳＰ及び端子ＴＣＳＮを含む。なお、第１検出回路１３１を過電流検出回路又はショート検出回路と呼んでもよい。
【００２６】
ＰＷＭ端子ＴＤＣＳには処理装置３００が電気的に接続され、ＰＷＭ調光モードにおいて調光制御に用いられるＰＷＭ信号ＤＣＳが、処理装置３００から入力される。調光用電圧入力端子ＴＡＣＳには、電流調光モードにおいて調光制御に用いられる調光用電圧ＡＣＳが、処理装置３００から入力される。処理装置３００は、発光制御装置１００のホスト装置であり、例えばＭＰＵ（Microprocessor）、ＣＰＵ（Central Processing Unit）等のプロセッサーを備えている。
【００２７】
端子ＴＥＯＵＴは第２スイッチング素子１２がショートするときにエラー信号を出力する端子である。端子ＴＤＲＶは第１スイッチング素子１１を駆動する第１制御信号ＤＲＶを出力する端子である。端子ＴＧＴＢは第２スイッチング素子１２を駆動する第２制御信号ＧＴＢを出力する端子である。
【００２８】
端子ＴＩＳは第２抵抗ＲＩＳの第２スイッチング素子１２側の電圧を入力する端子である。端子ＴＣＳＰ及び端子ＴＣＳＮは第１抵抗ＲＣＳの両端の電圧を入力する端子である。
【００２９】
第１抵抗ＲＣＳの両端の電圧は電流検出回路１２３に入力される。電流検出回路１２３は第１抵抗ＲＣＳの両端の電圧を増幅した検出電圧ＤＴＱを第１検出回路１３１及び第２検出回路１３２に出力する。
【００３０】
第１検出回路１３１は、検出電圧ＤＴＱと第１所定値とを比較し、比較した結果である第１検出信号ＤＥＴＣを出力する。第１所定値は発光素子１５に流れる電流値を制御するためのパラメーターである。第１検出回路１３１は、検出電圧ＤＴＱ＜第１所定値のときローレベルの第１検出信号ＤＥＴＣを発光制御回路１０１へ出力し、検出電圧ＤＴＱ＞第１所定値のときハイレベルの第１検出信号ＤＥＴＣを発光制御回路１０１へ出力する。
【００３１】
第１所定値は、正常動作時の検出電圧ＤＴＱよりも高い電圧値に設定される。例えば、発光素子１５に流れる電流値が正常な場合に、最大３Ａの電流が流れるとする。この場合、第１抵抗ＲＣＳが５０ｍΩとすると、両端の電位差は１５０ｍＶになる。この電位差１５０ｍＶが発光制御装置１００の端子ＴＣＳＮと端子ＴＣＳＰから電流検出回路１２３へ入力され、電流検出回路１２３により電位差１５０ｍＶが、例えば３Ｖに増幅される。この増幅された電圧が検出電圧ＤＴＱとなる。つまり、この場合第１所定値は、正常動作時の検出電圧ＤＴＱよりも高い電圧値に設定されるため、３Ｖ以上ということになる。
【００３２】
第２検出回路１３２は、検出電圧ＤＴＱと判定値とを比較し、比較した結果である第２検出信号ＤＥＴＤを出力する。第２検出回路１３２は、検出電圧ＤＴＱ＜判定値のときローレベルの第２検出信号ＤＥＴＤを論理判定回路１３４へ出力し、検出電圧ＤＴＱ＞判定値のときハイレベルの第２検出信号ＤＥＴＤを論理判定回路１３４へ出力する。
【００３３】
判定値は、正常動作時に発光素子１５に流れる電流量の下限値に対して、１０分の１以上１０分の９以下の範囲で流れる電流に対応する電圧値の範囲内に設定される。
【００３４】
例えば、発光素子１５に流れる電流値が正常な場合に、最小１Ａの電流が流れるとする。この場合、第１抵抗ＲＣＳが５０ｍΩとすると、両端の電位差は５０ｍＶになる。この電位差５０ｍＶが発光制御装置１００の端子ＴＣＳＮと端子ＴＣＳＰから入力され、電流検出回路１２３により電位差５０ｍＶが、例えば１Ｖに増幅される。この増幅された電圧が検出電圧ＤＴＱとなる。つまり、この場合判定値は、正常動作時に発光素子１５に流れる電流量の下限値に対して、１０分の１以上１０分の９以下の範囲で流れる電流に対応する電圧値の範囲内に設定される。本実施形態では、例えば、正常動作時に発光素子１５に流れる電流量の下限値が１Vであり、判定値は、０．１Ｖ以上で０．９Ｖ以下の範囲内に設定される。
【００３５】
発光制御回路１０１は、ＰＷＭ信号ＤＣＳ及び調光用電圧ＡＣＳに基づいて第１スイッチング素子１１及び第２スイッチング素子１２をオンオフ制御することで、発光素子１５の発光量を調光する。発光制御回路１０１は第１駆動回路１１０、第２駆動回路１２０、発振回路１４０及び動作制御回路１３３を含む。
【００３６】
動作制御回路１３３は第１駆動回路１１０と電気的に接続されている。第１スイッチング素子１１をオン状態にするとき、動作制御回路１３３は第１駆動回路１１０へハイレベルの第１駆動回路制御信号ＤＲＶＢを出力する。第１スイッチング素子１１をオフ状態にするとき、動作制御回路１３３は第１駆動回路１１０へローレベルの第１駆動回路制御信号ＤＲＶＢを出力する。尚、第１スイッチング素子１１をオン状態にするときの第１制御信号ＤＲＶをアクティブ状態とする。第１スイッチング素子１１をオフ状態にするときの第１制御信号ＤＲＶを非アクティブ状態とする。
【００３７】
第１駆動回路１１０は、第１駆動回路制御信号ＤＲＶＢに基づいて第１制御信号ＤＲＶを出力する。第１制御信号ＤＲＶは第１スイッチング素子１１をオン又はオフに制御する信号である。第１制御信号ＤＲＶは端子ＴＤＲＶから出力され、第１スイッチング素子１１のゲートに入力される。第１駆動回路１１０は、ＰＷＭ信号ＤＣＳがアクティブのとき、第１スイッチング素子１１をオンさせる第１制御信号ＤＲＶを出力し、ＰＷＭ信号ＤＣＳが非アクティブのとき、第１スイッチング素子１１をオフさせる第１制御信号ＤＲＶを出力する。第１駆動回路１１０は、例えば、第１駆動回路制御信号ＤＲＶＢをバッファリングするバッファー回路等により構成される。
【００３８】
論理判定回路１３４は、第２検出信号ＤＥＴＤがハイレベルかつ第１駆動回路制御信号ＤＲＶＢがローレベルの状態が所定の時間継続した場合に、論理判定回路１３４からハイレベルの論理判定回路出力信号ＥＲＲを出力する。論理判定回路出力信号ＥＲＲは通常ローレベルになっている。ハイレベルになった論理判定回路出力信号ＥＲＲがエラー信号である。エラー信号は端子ＴＥＯＵＴから出力される。また、第２検出信号ＤＥＴＤがハイレベルかつ第１駆動回路制御信号ＤＲＶＢがローレベルの状態が所定の時間継続する判定時間のことを、検知時間とする。
【００３９】
発光制御装置１００では、発光制御回路１０１が第１制御信号ＤＲＶを非アクティブにする第１駆動停止状態に設定し、第１電位差が判定値よりも大きいことを第２検出回路１３２が検出したとき、論理判定回路１３４が端子ＴＥＯＵＴからエラー信号を出力する。
【００４０】
発振回路１４０は、クロック信号ＣＬＫを生成する。例えば発振回路１４０は、ＣＲ発振回路、又はリングオシレーター、マルチバイブレーター等である。
【００４１】
第２駆動回路１２０は、調光用電圧ＡＣＳとＰＷＭ信号ＤＣＳとクロック信号ＣＬＫに基づいて第２制御信号ＧＴＢを出力する。第２制御信号ＧＴＢは端子ＴＧＴＢから出力され、第２スイッチング素子１２のゲートに入力される。ＰＷＭ信号ＤＣＳがアクティブである期間において、第２制御信号ＧＴＢが第２スイッチング素子１２のオンオフを制御する。具体的には、第１抵抗ＲＣＳの一端の電圧ＣＳＰが端子ＴＣＳＰに入力され、第１抵抗ＲＣＳの他端の電圧ＣＳＮが端子ＴＣＳＮに入力され、第２抵抗ＲＩＳの一端の電圧ＩＳが端子ＴＩＳに入力される。第２駆動回路１２０は、電圧ＣＳＰ、電圧ＣＳＮ、電圧ＩＳ及び調光用電圧ＡＣＳに基づいて、発光素子１５に流れる電流ＩＬＤをスイッチングレギュレート制御することで、電流ＩＬＤが調光用電圧ＡＣＳに対応した電流となるように制御する。
【００４２】
発光制御回路１０１の第２駆動回路１２０は第２スイッチング素子１２のオンオフを制御する第２制御信号ＧＴＢを出力する。第２駆動回路１２０は第２制御信号ＧＴＢを非アクティブにする第２駆動停止状態に設定する。さらに、第１制御信号ＤＲＶも非アクティブにする第１駆動停止状態に設定する。このとき、第１電位差が判定値よりも小さくなる前に、論理判定回路１３４は端子ＴＥＯＵＴよりエラー信号を出力する。
【００４３】
論理判定回路１３４が端子ＴＥＯＵＴよりエラー信号を出力するとき、発光制御回路１０１は第２制御信号ＧＴＢを非アクティブに固定する。
【００４４】
第２駆動回路１２０は、制御信号出力回路１２１、スロープ補償回路１２２、電流検出回路１２３、エラーアンプ回路１２４、スイッチ回路１２５及びコンパレーター１２６を含む。以下、これら第２駆動回路１２０の各部と第１駆動回路１１０の各調光モードにおける動作について、図３及び図４の波形図を用いて説明する。なお以下ではアクティブをハイレベルとし、非アクティブをローレベルとする。また第１検出信号ＤＥＴＣが非アクティブであるとする。
【００４５】
図３は電流調光モードにおける波形図である。図１、図２及び図３に示すように、電流調光モードにおいて、ＰＷＭ信号ＤＣＳはハイレベルである。ハイレベルは図中“H”のレベルである。第１駆動回路１１０はハイレベルの第１制御信号ＤＲＶを出力することで、第１スイッチング素子１１を常時オンさせる。なおＰＷＭ調光モードでは、ＰＷＭ信号ＤＣＳは、ハイ幅のデューティーが１００％未満の矩形波である。ハイ幅は矩形波のハイレベルが続く時間間隔を示す。電流調光モードでは処理装置３００はＰＷＭ信号ＤＣＳを常時ハイレベルにする。換言すれば、処理装置３００はＰＷＭ信号ＤＣＳをハイ幅のデューティーが１００％のＰＷＭ信号にする。
【００４６】
電流検出回路１２３は、第１抵抗ＲＣＳの両端の電位差に所与のゲインを乗じることで、検出電圧ＤＴＱを出力する。尚、第１抵抗ＲＣＳの両端の電位差は電圧ＣＳＰ−電圧ＣＳＮ＝第１抵抗ＲＣＳの抵抗値×電流ＩＬＤの電流値である。エラーアンプ回路１２４は検出電圧ＤＴＱと調光用電圧ＡＣＳの差を増幅する。エラーアンプ回路１２４は増幅した電圧をスイッチ回路１２５に出力する。調光用電圧ＡＣＳは処理装置３００により所定の電圧値に設定されている。スイッチ回路１２５はＰＷＭ信号ＤＣＳがハイレベルのときオンになり、ＰＷＭ信号ＤＣＳがローレベルのときオフになる。電流調光モードではスイッチ回路１２５は常時オンである。スイッチ回路１２５は電圧ＥＲＱをコンパレーター１２６に出力する。
【００４７】
スロープ補償回路１２２は、レーザーダイオードに流れる駆動電流のサブハーモニック発振を抑制するために、電圧ＩＳの時間変化における傾きを増加させ、その傾き増加後の電圧ＳＬＱをコンパレーター１２６に出力する。スロープ補償回路１２２が出力する電圧ＳＬＱとエラーアンプ回路１２４が出力する電圧ＥＲＱとをコンパレーター１２６が比較する。コンパレーター１２６は電圧ＳＬＱ＜電圧ＥＲＱのときローレベルの信号ＣＰＱを制御信号出力回路１２１に出力し、電圧ＳＬＱ＞電圧ＥＲＱのときハイレベルの信号ＣＰＱを制御信号出力回路１２１に出力する。
【００４８】
制御信号出力回路１２１はクロック信号ＣＬＫのエッジで第２制御信号ＧＴＢをローレベルからハイレベルに遷移させる。第２制御信号ＧＴＢがハイレベルのとき第２スイッチング素子１２がオンなので、第２スイッチング素子１２と第２抵抗ＲＩＳを介してインダクター１４から第２電源ノードＮＧＮに電流が流れる。インダクター１４に流れる電流が増加するので、電圧ＩＳが上昇し、スロープ補償回路１２２から出力される電圧ＳＬＱが上昇する。インダクター１４に流れる電流は第１スイッチング素子１１を介して発光素子１５に流れるので、発光素子１５に流れる電流ＩＬＤも上昇する。
【００４９】
電圧ＳＬＱ＞電圧ＥＲＱとなったときコンパレーター１２６から出力される信号ＣＰＱがローレベルからハイレベルに遷移する。このとき制御信号出力回路１２１は第２制御信号ＧＴＢをハイレベルからローレベルに遷移させる。第２制御信号ＧＴＢがローレベルのとき、第２スイッチング素子１２がオフなので、インダクター１４から整流ダイオードＤＡを介して第１電源ノードＮＶＩに電流が流れる。インダクター１４に流れる電流は低下するので、発光素子１５に流れる電流ＩＬＤも低下する。
【００５０】
電流ＩＬＤの検出結果である検出電圧ＤＴＱと、調光用電圧ＡＣＳとが異なっている場合、エラーアンプ回路１２４から出力される電圧ＥＲＱが変化するので、第２制御信号ＧＴＢのデューティーが変化する。これにより、検出電圧ＤＴＱが調光用電圧ＡＣＳに一致するように、電流ＩＬＤがフィードバック制御される。このようなフィードバック制御によって、電流ＩＬＤが略一定に保たれる。この電流ＩＬＤを略一定に保つ制御をスイッチングレギュレート制御と呼ぶ。電流ＩＬＤは調光用電圧ＡＣＳに対応した電流値に保たれる。処理装置３００が調光用電圧ＡＣＳを変化させた場合には、それに応じて電流ＩＬＤが変化する。即ち、電流調光モードでは、調光用電圧ＡＣＳによって発光素子１５の発光量が調光される。
【００５１】
電流調光モードは、電流ＩＬＤの最大値から所定値の範囲で用いられる。即ち発光素子１５を高輝度で発光させる場合に電流調光モードが用いられる。一方、電流ＩＬＤが所定値未満のとき、即ち、発光素子１５を低輝度で発光させる場合には、ＰＷＭ調光モードが用いられる。
【００５２】
図４は、ＰＷＭ調光モードにおける波形図である。図１、図２及び図４において、ＰＷＭ調光モードでは処理装置３００がＰＷＭ信号ＤＣＳを矩形波にする。ＰＷＭ信号ＤＣＳの周期を周期ＴＰＷＭとし、ＰＷＭ信号ＤＣＳがハイレベルの期間を期間ＴＨＷとする。ＰＷＭ信号ＤＣＳのデューティーは（期間ＴＨＷ／周期ＴＰＷＭ）×１００％である。なお、第２制御信号ＧＴＢの周波数は、ＰＷＭ信号ＤＣＳの周波数よりも高く設定されている。
【００５３】
ＰＷＭ信号ＤＣＳがハイレベルのとき、第１駆動回路１１０はハイレベルの第１制御信号ＤＲＶを出力し、第１スイッチング素子１１をオンさせる。このとき、第２駆動回路１２０が第２制御信号ＧＴＢをスイッチングすることで、スイッチングレギュレート制御を行う。これにより、調光用電圧ＡＣＳに対応した電流ＩＬＤが発光素子１５に流れる。ＰＷＭ信号ＤＣＳがローレベルのとき、第１駆動回路１１０はローレベルの第１制御信号ＤＲＶを出力し、第１スイッチング素子１１をオフさせる。また第２駆動回路１２０は、第２制御信号ＧＴＢをローレベルにする。このとき、発光素子１５に電流は流れない。
【００５４】
発光素子１５に流れる電流ＩＬＤの時間平均は、ＰＷＭ信号ＤＣＳのデューティーによって決まるので、発光量もＰＷＭ信号ＤＣＳのデューティーによって決まる。このように、ＰＷＭ調光モードでは、矩形波のＰＷＭ信号ＤＣＳのデューティーにより調光制御される。発光素子１５に電流ＩＬＤが流れているときの電流値は、その時間平均よりも高い電流値が確保されている。レーザーダイオードを発光させるためには、しきい値以上の電流ＩＬＤをレーザーダイオードに流す必要がある。上記のようなＰＷＭ制御を行うことで、レーザーダイオードにしきい値以上の電流ＩＬＤを流して発光させ、時間平均として調光を行うことが可能となっている。
【００５５】
２．過電流を検知する手法
次に、発光素子１５に流れる電流ＩＬＤの電流量が過剰になった場合に検知して第１スイッチング素子１１を停止させる手法について説明する。図５は、過電流検知の時の信号の波形図である。図１、図２及び図５において、発光素子１５に流れる電流ＩＬＤが正常時に流れる電流ＩＬＤよりも過剰になった場合、電流ＩＬＤが増加する。第１抵抗ＲＣＳに流れる電流量から電圧に変換した値が電流検出回路１２３に入力され、検出電圧ＤＴＱが増加する。そして、電流検出回路１２３では、正常時の電圧よりも高い検出電圧ＤＴＱが出力される。この検出電圧ＤＴＱは、第１検出回路１３１に入力される。検出電圧ＤＴＱが第１所定値を超えている間、第１検出回路から第１検出信号ＤＥＴＣがハイレベルになる。第１検出信号ＤＥＴＣは動作制御回路１３３に出力される。
【００５６】
第１検出信号ＤＥＴＣが１度でもハイレベルになると、動作制御回路１３３は、第１駆動回路制御信号ＤＲＶＢをローレベルで出力し続ける。この信号は、第１駆動回路に入力されるため、第１駆動回路１１０は第１制御信号ＤＲＶをローレベルで出力する。第１制御信号ＤＲＶがローレベルのため、第１スイッチング素子１１は停止する。
【００５７】
また、第１検出信号ＤＥＴＣは、制御信号出力回路１２１にも入力される。第１検出信号ＤＥＴＣが１度でもハイレベルになると、制御信号出力回路１２１は、第２制御信号ＧＴＢをローレベルで出力し続ける。第２制御信号ＧＴＢがローレベルのため、第２スイッチング素子１２は停止する。
【００５８】
このようにして、発光素子１５に流れる電流ＩＬＤの電流量が過剰になった場合に発光制御回路１０１は第１スイッチング素子１１と第２スイッチング素子１２を停止させる。
【００５９】
３．第１スイッチング素子のショートを検知する手法
次に、ＰＷＭ調光用の第１スイッチング素子１１がショートしていることを検知する手法について説明する。
図６は、第１スイッチング素子のショート検知の時の信号の波形図である。第１スイッチング素子１１が、例えばＮ型トランジスターの場合を説明する。第１スイッチング素子１１のドレインとゲート、またはドレインとソースがショートしているか検知したいとき、発光制御装置１００の端子ＴＤＣＳから入力されるＰＷＭ信号ＤＣＳを処理装置３００がハイレベルからローレベルへと変更する。
【００６０】
動作制御回路１３３はローレベルのＰＷＭ信号ＤＣＳを入力して、ローレベルの第１駆動回路制御信号ＤＲＶＢを第１駆動回路１１０に出力する。第１駆動回路１１０はローレベルの第１駆動回路制御信号ＤＲＶＢを入力して、ローレベルの第１制御信号ＤＲＶを端子ＴＤＲＶから第１スイッチング素子１１に出力する。このとき、第１スイッチング素子１１には第１駆動信号ＤＲＶがローレベルで出力される。第１スイッチング素子１１のドレインとゲート、またはドレインとソースがショートしている場合には、第１駆動信号ＤＲＶがローレベルだとしても第１スイッチング素子１１は、常時オン状態あるいは半オン状態になる。
【００６１】
第１スイッチング素子１１が常時オン状態となったとき、第１スイッチング素子１１をオフ状態にしても、光源回路１０の第１抵抗ＲＣＳには、正常時の第１スイッチング素子１１オン時と同程度の電流値が流れる。第１抵抗ＲＣＳに流れる電流ＩＬＤの電流量から電圧に変換した値を発光制御装置１００の端子ＴＣＳＮと端子ＴＣＳＰから電流検出回路１２３が入力する。この電圧の電圧値は電流検出回路１２３によって増幅されて検出電圧ＤＴＱになる。図中の検出電圧ＤＴＱは、第１スイッチング素子１１がショートしている状態を示す。このとき、検出電圧ＤＴＱは、正常時の電圧範囲に入っている。その後、第２検出回路１３２に増幅後の検出電圧ＤＴＱが与えられる。第２検出回路１３２は、正常時の検出電圧ＤＴＱの下限値の１０分の９以下かつ１０分の１以上に設定された判定値と検出電圧ＤＴＱとを比較する。検出電圧ＤＴＱが判定値よりも高い場合に、第２検出回路１３２から第２検出信号ＤＥＴＤがハイレベルで出力される。
【００６２】
第２検出信号ＤＥＴＤと第１駆動回路制御信号ＤＲＶＢは論理判定回路１３４に入力される。論理判定回路１３４は、第２検出信号ＤＥＴＤがハイレベルかつ第１駆動回路制御信号ＤＲＶＢがローレベルの状態が所定の検知時間以上に継続した場合に、論理判定回路１３４からハイレベルの論理判定回路出力信号ＥＲＲを端子ＴＥＯＵＴに出力する。
【００６３】
論理判定回路１３４は、第２検出信号ＤＥＴＤがハイレベルかつ第１駆動回路制御信号ＤＲＶＢがローレベルになった場合、すぐに論理判定回路出力信号ＥＲＲを出力するのではなく、誤検知を防ぐ目的で、所定の時間経過後に論理判定回路出力信号ＥＲＲを出力する。論理判定回路出力信号ＥＲＲは、発光制御装置１００の端子ＴＥＯＵＴから外部へエラー信号として出力される。このエラー信号が出力されることが、第１スイッチング素子１１のショートを検知したことになる。
【００６４】
以上に説明した本実施形態の発光制御装置は、光源回路１０の第１スイッチング素子１１及び第２スイッチング素子１２を制御する。光源回路１０は、第１電源ノードＮＶＩと第２電源ノードＮＧＮとの間に直列に設けられる第１抵抗ＲＣＳ、発光素子１５及び第１スイッチング素子１１を含む。また光源回路１０は、第１スイッチング素子１１と第２電源ノードＮＧＮとの間に直列に設けられるインダクター１４、第２スイッチング素子１２及び第２抵抗ＲＩＳと、を含む。第１検出回路１３１は、第１抵抗ＲＣＳの両端の電位差である第１電位差が第１所定値より大きいか否かを検出する。第２検出回路１３２は、第１電位差が判定値より大きいか否かを検出する。論理判定回路１３４は、第２検出回路１３２の出力信号がハイレベルかつ動作制御回路１３３の出力信号がローレベルの状態が、所定の検知時間以上に継続した場合に、ハイレベルの信号を出力する。発光制御装置１００は、論理判定回路１３４からハイレベルの信号が出力された時、第１スイッチング素子１１がショートしていることを外部へ知らせるためのエラー信号を出力する。
【００６５】
上述したように、本実施形態によれば、以下の効果を有する。
（１）本実施形態では、電流は第１電源ノードＮＶＩから第２電源ノードＮＧＮに向かって流れるため、第１スイッチング素子１１が発光素子１５のローサイドに設けられる。第１制御信号ＤＲＶを非アクティブにする第１駆動停止状態に設定したとき、第１スイッチング素子１１が正常の時においては第１スイッチング素子１１がオフになり、発光素子１５からローサイドへの電流経路が遮断されるので、発光素子１５に電流が流れなくなる。
【００６６】
しかし、第１スイッチング素子１１が異常の時、例えば、第１スイッチング素子１１のドレインとゲートが短絡、またはドレインとソースが短絡しているとき、第１スイッチング素子１１が第１駆動停止状態であっても発光素子１５から第２電源ノードＮＧＮへ電流が流れる。このとき、第１電位差に対応する検出電圧ＤＴＱが判定値より大きくなる。
【００６７】
第１駆動停止状態のとき、第１抵抗ＲＣＳの両端の電位差である第１電位差に対応する検出電圧ＤＴＱが判定値より大きいと検出された場合に、論理判定回路１３４が端子ＴＥＯＵＴからエラー信号を出力する。エラー信号により第１スイッチング素子１１がショートしており、正しいオンオフ動作制御ができていないことを検知することができる。
【００６８】
特許文献１では、過電流による異常又は故障を回避するために、一般的な過電流検出のみを行っていた。つまり、発光素子１５に流れる電流に対する過電流検出を行い、検出結果を利用することで発光素子１５の過電流の対処をしていた。そのため、ＰＷＭ調光用のスイッチング素子としての第１スイッチング素子１１がショートしていたとしても、発光素子１５に過電流が流れることにはならないため、第１スイッチング素子１１のショートを検知することができなかった。本実施形態の発光制御装置１００では、第１スイッチング素子のショートを検出することができる。
【００６９】
（２）本実施形態では、第１抵抗ＲＣＳで第１電位差を検出することにより、第１スイッチング素子１１が第１駆動停止状態の場合において、発光制御装置１００の端子ＴＥＯＵＴからエラー信号を出力する。発光素子１５に流れる電流量の監視に用いられる第１抵抗ＲＣＳは、発光素子１５に流れる電流量が過剰な場合に過電流検知のためにも使用される。
【００７０】
そのため、判定値が正常動作時の検知電圧範囲よりも高い電圧値に設定されている場合、第１スイッチング素子１１のショートによりオンオフ動作制御できない状態と、過電流検知の状態とを区別できない。
【００７１】
また、判定値を正常動作時の下限値の１０分の９以上に設定すると、正常動作時の下限値で動作するように設定している場合に未検知になる可能性がある。また、判定値を正常動作時の下限値の１０分の１未満に設定すると、微小電圧値のため正確な検知ができず誤検知になる可能性がある。
【００７２】
しかし、判定値は正常動作時に発光素子１５に流れる電流量の下限値に対して１０分の１以上１０分の９以下の範囲で流れる電流に対応する電圧値の範囲内に設定されているため、過電流検知や未検知や誤検知などと区別することができる。
【００７３】
（３）本実施形態では、発光制御回路１０１が第１抵抗ＲＣＳの両端の電位差をモニターし、第２スイッチング素子１２のオン時間を調節する。そして、第２スイッチング素子１２がインダクター１４の両端にかかる電圧値を変化させ、インダクター１４によってうみだされた電流を平滑容量ＣＡが安定化させる。そして、発光素子１５に流れる電流量が一定になるように発光制御回路１０１が電流量を制御する。
【００７４】
第１スイッチング素子１１がショートし、正しいオンオフ動作制御ができない状態において、発光制御回路１０１が第１制御信号ＤＲＶと第２制御信号ＧＴＢの両方を非アクティブにする。これにより、第１スイッチング素子１１及び第２スイッチング素子１２がそれぞれ、第１駆動停止状態と第２駆動停止状態とになる。
【００７５】
このとき、インダクター１４にエネルギーが蓄えられているので、電流は整流ダイオードＤＡを通り、平滑容量ＣＡで安定化された電流値が発光素子１５に流れる。第２駆動停止状態が続くと、インダクター１４の両端に電位差が発生しない状態になる。そして、インダクター１４に蓄えられたエネルギーが減り、発光素子１５に流れる電流量が時間を経るごとに低下していく。このため、第１電位差が判定値以上になる検知時間が短くなる。
【００７６】
しかし、検知時間の間にエラー信号を出力することで、第１スイッチング素子１１だけでなく、第２スイッチング素子１２まで非アクティブ状態にする駆動方法であっても、第１スイッチング素子１１がショートしており、正しいオンオフ動作制御ができていないことを検出することができる。
【００７７】
（４）本実施形態では、第１スイッチング素子１１がショートし、正しいオンオフ動作制御ができていないことを検出するとエラー信号を発光制御装置１００が出力する。このとき、第１スイッチング素子１１はショートしているため半オン状態となり、第１スイッチング素子１１の抵抗値は上昇する。
【００７８】
このため、発光制御装置１００から外部へエラー信号を出力し、外部から指令が返ってくるまでの間に、第１スイッチング素子１１を流れる電流で発熱するおそれがある。しかし、発光制御装置１００がエラー信号を出力したときに、第２制御信号ＧＴＢを非アクティブに固定することで、第１スイッチング素子１１の発熱を抑制することができる。
【００７９】
（５）本実施形態では、第１スイッチング素子１１がショートしていることを知らせるエラー信号を出力する機能を発光制御装置１００がもっている。このため、光源装置２００の製造検査工程において、プリント基板上への第１スイッチング素子１１のショートを容易に見つけることができる。
【００８０】
４．投写型映像表示装置
図７は、光源装置２００を含む投写型映像表示装置４００の構成を示す電気ブロック図である。図７に示すように、投写型映像表示装置４００は、スクリーンに映像を投写する装置であり、プロジェクターとも呼ばれる。投写型映像表示装置４００は、光源装置２００と光源装置２００を制御する処理装置３００と操作部３１０と記憶部３２０と通信部３３０と表示装置３４０と光学系３５０とを含む。光源装置２００は発光制御装置１００と光源回路１０とを含む。
【００８１】
通信部３３０は、ＰＣ（Personal Computer）等の処理装置３００との間で通信を行う。処理装置３００は情報を処理する装置である。通信部３３０は、ＶＧＡ（Video Graphics Array）規格又はＤＶＩ（Digital Visual Interface）規格、ＨＤＭＩ（登録商標）（High‐Definition Multimedia Interface）規格等の種々の映像インターフェイスである。或いは、通信部３３０は、ＵＳＢ規格等の通信インターフェイスであってもよいし、又はＬＡＮ（Local Area Network）等のネットワークインターフェイスであってもよい。記憶部３２０は、通信部３３０から入力された画像データを記憶する。また記憶部３２０は処理装置３００のワーキングメモリーとして機能してもよい。記憶部３２０は、半導体メモリー又はハードディスクドライブ等の種々の記憶装置である。操作部３１０は、ユーザーが投写型映像表示装置４００を操作するためのユーザーインターフェイスである。例えば操作部３１０は、ボタン又はタッチパネル、ポインティングデバイス、文字入力デバイス等である。
【００８２】
処理装置３００は、ＣＰＵ又はＭＰＵ等のプロセッサーである。処理装置３００は、記憶部３２０に記憶された画像データを表示装置３４０へ送信する。また処理装置３００は、発光制御装置１００にＰＷＭ信号及び調光用電圧を出力することで調光制御を行う。表示装置３４０は、液晶表示パネルと、画像データに基づいて液晶表示パネルに画像を表示させる表示ドライバーと、を含む。液晶パネルには光源回路１０から光が入射され、液晶パネルを透過した光が光学系３５０によってスクリーンに投写される。図中では光の経路を点線矢印で示している。
【００８３】
上記で述べたように、第１スイッチング素子１１がショートしていることを知らせるエラー信号を出力する機能を発光制御装置１００がもっている。本実施形態では、ユーザーが投写型映像表示装置４００を使用する時に、第１スイッチング素子１１を使用中に、第１スイッチング素子１１がショートしても、発光制御装置１００がエラー信号を出力する。処理装置３００がエラー信号を受け取って、ユーザー側にエラー情報を伝えることができる。
【００８４】
なお、本発明は上述した実施形態に限定されず、上述した実施形態に種々の変更や改良などを加えることが可能である。変形例を以下に述べる。
【００８５】
（変形例１）
本実施形態では、第１電源ノードＮＶＩとインダクター１４の間に、第１抵抗ＲＣＳ、発光素子１５、第１スイッチング素子１１の順に配置したが、第１抵抗ＲＣＳ、発光素子１５、第１スイッチング素子１１の並び順は、どのように並び替えても構わない。適切な回路配置にすることができる。
【００８６】
（変形例２）
本実施形態では、第１スイッチング素子１１を例えばＮ型トランジスターとしたが、Ｐ型トランジスターであっても構わない。入手しやすい素子を用いることができる。
【００８７】
（変形例３）
本実施形態では、判定値は、発光素子１５に流れる電流量の下限値に対して、１０分の１以上１０分の９以下の範囲で流れる電流に対応する電圧値の範囲内に設定するとした。１０分の９以下に設定する理由は、判定値を正常動作時の下限値の１０分の９以上に設定すると、正常動作時の下限値で動作するように設定している場合に未検知になる可能性があるためである。また、１０分の１以上に設定する理由は、判定値を正常動作時の下限値の１０分の１未満に設定すると、微小電圧値のため正確な検知ができず誤検知になる可能性があるためである。そのため、判定値は、誤検知しない電圧値以上かつ未検知になる電圧値以下に設定されていれば良く１０分の１以上１０分の９以下の範囲を超えても構わない。
【００８８】
以下に、実施形態から導き出される内容を記載する。
【００８９】
発光制御装置は、第１電源ノードと前記第１電源ノードより低電位に設定される第２電源ノードとの間に直列接続された第１抵抗、発光素子及び第１スイッチング素子を含む光源回路の前記第１スイッチング素子を制御する発光制御装置であって、前記第１抵抗の両端の電位差である第１電位差を判定値と比較する第２検出回路と、前記第１スイッチング素子のオンオフを制御する第１制御信号を出力する発光制御回路と、前記第１スイッチング素子がショートしているか否かを判定する論理判定回路と、を含み、前記発光制御回路が前記第１制御信号を非アクティブにする第１駆動停止状態に設定し、前記第１電位差が前記判定値よりも大きいことを前記第２検出回路が検出したとき、前記論理判定回路がエラー信号を出力することを特徴とする。
【００９０】
本発光制御装置では、第１電源ノードと第２電源ノードとの間に第１抵抗、発光素子、第１スイッチング素子が直列に設けられる。電流は第１電源ノードから第２電源ノードに向かって流れるため、第１スイッチング素子が発光素子のローサイドに設けられる。
【００９１】
第１制御信号を非アクティブにする第１駆動停止状態に設定したとき、第１スイッチング素子が正常の時においては第１スイッチング素子がオフになり、発光素子からローサイドへの電流経路が遮断されるので、発光素子に電流が流れなくなる。
【００９２】
しかし、第１スイッチング素子が異常の時、例えば、第１スイッチング素子のドレインとゲートが短絡、またはドレインとソースが短絡しているとき、第１スイッチング素子が第１駆動停止状態であっても発光素子から第２電源ノードへ電流が流れる。
【００９３】
このとき、第１電位差が判定値より大きくなる。第１駆動停止状態のとき、第１抵抗の両端の電位差である第１電位差が判定値より大きいと検出された場合に、論理判定回路がエラー信号を出力する。
【００９４】
エラー信号により第１スイッチング素子がショートしており、正しいオンオフ動作制御ができていないことを確かめることができる。従って、ＰＷＭ調光用のスイッチング素子としての第１スイッチング素子がショートしているという不具合を検出できる。
【００９５】
上記発光制御装置において、前記判定値は、正常動作時に前記発光素子に流れる電流量の下限値に対して、１０分の１以上１０分の９以下の範囲で流れる電流に対応する電圧値の範囲内に設定されることが好ましい。
【００９６】
本発光制御装置では、第１抵抗で第１電位差を検出することにより、第１スイッチング素子が第１駆動停止状態の場合において、発光制御装置からエラー信号を出力する。発光素子に流れる電流量の監視に用いられる第１抵抗は、発光素子に流れる電流量が過剰な場合に過電流検知のためにも使用される。
【００９７】
そのため、判定値が正常動作時の検知電圧範囲よりも高い電圧値に設定されている場合、第１スイッチング素子のショートによりオンオフ動作制御できない状態と、過電流検知の状態とを区別できない。
【００９８】
また、判定値を正常動作時の下限値の１０分の９以上に設定すると、正常動作時の下限値で動作するように設定している場合に未検知になる可能性がある。また、判定値を正常動作時の下限値の１０分の１未満に設定すると、微小電圧値のため正確な検知ができず誤検知になる可能性がある。
【００９９】
しかし、判定値は正常動作時に発光素子に流れる電流量の下限値に対して１０分の１以上１０分の９以下の範囲で流れる電流に対応する電圧値の範囲内に設定されているため、未検知も防ぎつつ過電流検知や未検知や誤検知などと第１スイッチング素子の異常とを区別することができる。
【０１００】
上記発光制御装置において、前記光源回路は、前記第２電源ノードと前記第１スイッチング素子との間に結合されたインダクターと、前記インダクターと前記第１電源ノードとの間に前記第１抵抗、前記発光素子、前記第１スイッチング素子と並列に結合された平滑容量と、前記インダクターと前記第２電源ノードとの間に結合された第２スイッチング素子と、前記第２スイッチング素子と前記第１電源ノードとの間に前記第１抵抗、前記発光素子、前記第１スイッチング素子、前記インダクターと並列に結合された整流ダイオードと、を含み、前記発光制御回路が前記第２スイッチング素子のオンオフを制御する第２制御信号を出力し、前記第２制御信号を非アクティブにする第２駆動停止状態に設定し、かつ前記第１制御信号も非アクティブにする前記第１駆動停止状態に設定したとき、前記第１電位差が前記判定値よりも小さくなる前に、前記論理判定回路が前記エラー信号を出力することが好ましい。
【０１０１】
本発光制御装置では、発光制御回路が第１抵抗の両端の電位差をモニターし、第２スイッチング素子のオン時間を調節する。そして、第２スイッチング素子がインダクターの両端にかかる電圧値を変化させ、インダクターによってうみだされた電流を平滑容量が安定化させる。そして、発光素子に流れる電流量が一定になるように発光制御回路が電流量を制御する。
【０１０２】
第１スイッチング素子がショートし、正しいオンオフ動作制御ができない状態において、発光制御回路が第１制御信号と第２制御信号の両方を非アクティブにする。これにより、第１スイッチング素子及び第２スイッチング素子がそれぞれ、第１駆動停止状態と第２駆動停止状態とになる。
【０１０３】
このとき、インダクターにエネルギーが蓄えられているので、電流は整流ダイオードを通り、平滑容量で安定化された電流値が発光素子に流れる。第２駆動停止状態が続くと、インダクターの両端に電位差が発生しない状態になる。そして、インダクターに蓄えられたエネルギーが減り、発光素子に流れる電流量が時間を経るごとに低下していく。このため、第１電位差が判定値以上になる検知時間が短くなる。
【０１０４】
しかし、検知時間の間に論理判定回路がエラー信号を出力することで、第１スイッチング素子だけでなく、第２スイッチング素子まで非アクティブ状態にする駆動方法であっても、第１スイッチング素子がショートしており、正しいオンオフ動作制御ができていないことを検出することができる。
【０１０５】
上記発光制御装置において、前記エラー信号を出力するとき、前記第２制御信号を非アクティブに固定することが好ましい。
【０１０６】
本発光制御装置では、第１スイッチング素子がショートし、正しいオンオフ動作制御ができていないことを検出するとエラー信号を発光制御装置が出力する。このとき、第１スイッチング素子はショートしているため半オン状態となり、第１スイッチング素子の抵抗値は上昇する。
【０１０７】
このため、発光制御装置から外部へエラー信号を出力し、外部から指令が返ってくるまでの間に、第１スイッチング素子を流れる電流で発熱するおそれがある。しかし、発光制御装置がエラー信号を出力したときに、第２制御信号を非アクティブに固定することで、第１スイッチング素子の発熱を抑制することができる。
【０１０８】
光源装置は、上記に記載の発光制御装置と、前記光源回路と、を含むことを特徴とする。
【０１０９】
本光源装置では、第１スイッチング素子がショートしていることを知らせるエラー信号を出力する機能を発光制御装置がもっている。このため、光源装置の製造検査工程において、プリント基板上への第１スイッチング素子のショートを容易に見つけることができる。
【０１１０】
投写型映像表示装置は、上記に記載の光源装置と、前記光源装置を制御する処理装置と、を含むことを特徴とする。
【０１１１】
本投写型映像表示装置では、第１スイッチング素子がショートしていることを知らせるエラー信号を出力する機能を発光制御装置がもっている。ユーザーが投写型映像表示装置を使用中に、第１スイッチング素子がショートしても、発光制御装置がエラー信号を出力し、処理装置がエラー信号を受け取って、ユーザー側にエラー情報を伝えることができる。
【符号の説明】
【０１１２】
１０…光源回路、１１…第１スイッチング素子、１２…第２スイッチング素子、１４…インダクター、１５…発光素子、１００…発光制御装置、１０１…発光制御回路、１１０…第１駆動回路、１２０…第２駆動回路、１２１…制御信号出力回路、１２２…スロープ補償回路、１２３…電流検出回路、１２４…エラーアンプ回路、１２５…スイッチ回路、１２６…コンパレーター、１３１…第１検出回路、１３２…第２検出回路、１３３…動作制御回路、１３４…論理判定回路、１４０…発振回路、２００…光源装置、３００…処理装置、３１０…操作部、３２０…記憶部、３３０…通信部、３４０…表示装置、３５０…光学系、４００…投写型映像表示装置、ＡＣＳ…調光用電圧、ＤＣＳ…ＰＷＭ信号、ＤＥＴＣ…第１検出信号、ＤＥＴＤ…第２検出信号、ＤＲＶ…第１制御信号、ＧＴＢ…第２制御信号、ＩＬＤ…電流、ＮＧＮ…第２電源ノード、ＮＶＩ…第１電源ノード、ＲＣＳ…第１抵抗、ＲＩＳ…第２抵抗、ＶＩＮ…第１電源、ＣＡ…平滑容量、ＤＡ…整流ダイオード、ＤＲＶＢ…第１駆動回路制御信号、ＣＬＫ…クロック信号、ＴＡＣＳ…調光用電圧入力端子、ＴＤＣＳ…ＰＷＭ端子、ＥＲＲ…論理判定回路出力信号。
【図１】
2020191229.tif 000003
【図２】
2020191229.tif 000004
【図３】
2020191229.tif 000005
【図４】
2020191229.tif 000006
【図５】
2020191229.tif 000007
【図６】
2020191229.tif 000008
【図７】
2020191229.tif 000009